(57)【要約】【課題】地上波デジタル放送に完全に切り替わると、アナログ放送しか受信できないテレビ装置はそのままでは使用できない。特に浴室に固定されているテレビ装置ではＡＶ入力端子を有していない場合がほとんどであり、デジタル放送対応のものに取り替えなければならない。なお、従来提案されているものではアナログ専用のテレビ装置に予め選局指示信号送出手段を内蔵させなければならず、現実的ではない。【解決手段】地上波デジタル放送用の市販のチューナ２にＲＦコンバータ装置を取り付け、変換されたＲＦ信号をテレビ装置１に入力させる。浴室内のリモコンから発信される電波をＲＦコンバータ装置３で受信し、赤外線信号に変換して発光部３１から射出することによりリモコン４のチューナ２の操作を行えるようにした。【選択図】  図１
2007174356.tif 000002
【特許請求の範囲】
【請求項１】
地上波デジタル放送を受信してＡＶ信号を出力する地上波デジタル放送用のチューナに接続され、このＡＶ信号をＲＦ信号に変換して浴室内のテレビ装置に出力するＲＦコンバータ装置において、浴室内に備えられ上記チューナの操作を行うための無線式のリモコンから発信される無線信号を受信して、その無線信号に重畳されている操作信号を赤外線に重畳してチューナに射出する発光部を備えたことを特徴とするＲＦコンバータ装置。
【請求項２】
上記無線式リモコンは電波に操作信号を重畳させて発信し、その発信された電波を受信する受信部を備えたことを特徴とする請求項１に記載のＲＦコンバータ装置。
【請求項３】
上記無線式リモコンは赤外線に操作信号を重畳させて発信し、その発信された赤外線を受光する受光部であって浴室内に臨んで取り付けられたものから出力信号が入力され得ることを特徴とする請求項１に記載のＲＦコンバータ装置。
【発明の詳細な説明】
【技術分野】
【０００１】
本発明は、地上波デジタル放送を受信してＡＶ信号を出力する地上波デジタル放送用のチューナに接続され、このＡＶ信号をＲＦ信号に変換して浴室内のテレビ装置に出力するＲＦコンバータ装置に関する。
【背景技術】
【０００２】
従来のこの種のＲＦコンバータ装置としては、地上波デジタル放送に完全に切り替えられた後にアナログ放送しか受信できないテレビ装置を救済する目的で使用される場合がある。
【０００３】
例えば、浴室内の設置されるアナログ放送専用のテレビ装置に接続され、地上波デジタル放送用のチューナから出力されるＡＶ信号をＲＦ信号に変換してテレビ装置に出力するように用いられるものが知られている（特許文献１）。
【０００４】
このものではテレビ装置内に、選局情報をテレビ装置の外部に出力するための選局指示信号送出手段を内蔵させている。そして、浴室外に設置されたチューナの選局操作をその選局情報によって行うように構成されている。
【特許文献１】特開２００５−２２９４９５号公報（請求項１、図１、図２）
【発明の開示】
【発明が解決しようとする課題】
【０００５】
上記特許文献１に記載された従来の構成では、アナログ放送しか受信できないテレビ装置に予め選局指示信号送出手段を内蔵させておかなければ実施することができない。ところが、ほとんどすべてのこの種のテレビ装置では選局指示信号送出手段を内蔵していない。そのため、地上波デジタル放送に完全に切り替わった後、すでに使用されているアナログ放送専用のテレビ装置を使用し続けることができない。すなわち、上記特許文献１に記載の発明は実情に即しない、実施可能性の低いものといわざるを得ない。
【０００６】
そこで本発明は、上記の問題点に鑑み、現実に使用されているアナログ放送専用のテレビ装置を地上波デジタル放送に切り替えられた後も使用し続けることのできるＲＦコンバータ装置を提供することを課題とする。
【課題を解決するための手段】
【０００７】
上記課題を解決するために本発明によるＲＦコンバータ装置は、地上波デジタル放送を受信してＡＶ信号を出力する地上波デジタル放送用のチューナに接続され、このＡＶ信号をＲＦ信号に変換して浴室内のテレビ装置に出力するＲＦコンバータ装置において、浴室内に備えられ上記チューナの操作を行うための無線式のリモコンから発信される無線信号を受信して、その無線信号に重畳されている操作信号を赤外線に重畳してチューナに射出する発光部を備えたことを特徴とする。
【０００８】
この構成によれば、テレビ装置に特別な構成を必要とせず、無線式のリモコンから発信される操作信号をＲＦコンバータ装置から赤外線に重畳して射出することにより、浴室内からリモコンでチューナの操作を行うことができる。
【０００９】
上記無線式リモコンは電波に操作信号を重畳させて発信し、その発信された電波を受信する受信部を備えた構成を採用すれば、浴室に何らの工事も必要としない。
【００１０】
また、上記無線式リモコンは赤外線に操作信号を重畳させて発信し、その発信された赤外線を受光する受光部であって浴室内に臨んで取り付けられたものから出力信号が入力され得る構成を採用すれば、安価な赤外線式の学習リモコンを使用でき、あるいはチューナ専用のリモコンを防水ケースに入れてそのまま使用することができる。
【発明の効果】
【００１１】
以上の説明から明らかなように、本発明は、地上波デジタル放送に完全に切り替わった後でも、浴室に固定されたアナログ放送専用のテレビ装置を引き続き使用することができ、かつ浴室内からチャンネルの変更や電源の入り切りなどの操作を行うことができる。
【発明を実施するための最良の形態】
【００１２】
図１を参照して、１は浴室ＢＲ内の壁面に固定されたテレビ装置である。このテレビ装置１はアナログ放送専用のもので、地上波デジタル放送を単独で受信することができない。また浴室ＢＲに固定して使用されるため、ビデオ入力端子を備えていない。
【００１３】
２は市販品の地上波デジタル放送用のチューナであり、デジタル放送波を受信して音声信号および画像信号であるＡＶ信号を出力するものである。
【００１４】
３は本発明によるＲＦコンバータ装置である。このＲＦコンバータ装置３はチューナ２からＡＶ信号が入力され、そのＡＶ信号をＲＦ信号に変換するものである。出力されるＲＦ信号はテレビ装置１のアンテナ入力端子に入力される。テレビ装置１のチャンネルを「１」や「２」の所定のチャンネルに合わせておき、そのチャンネル周波数のＲＦ信号をＲＦコンバータ装置３から出力させることにより、チューナ２から出力されたＡＶ信号と同じテレビ画像をテレビ装置１に表示させ、かつテレビ音声をテレビ装置１から発音させることができる。
【００１５】
従って、選局はテレビ装置１ではなくチューナ２に対して行う必要がある。本発明ではチューナ２の選局操作や電源のオンオフ操作などをリモコン４により行うようにした。このリモコン４はいわゆる学習リモコンであり、予め各種メーカが採用する制御コードが記憶されている。チューナ２のメーカが採用する制御コードを選択することにより、リモコン４はチューナ２の制御信号を出力できるようになる。
【００１６】
リモコン４はその制御信号を電波に重畳して発信する。発信された電波は浴室ＢＲの壁部を抜けて浴室ＲＢの外部へ伝搬する。ＲＦコンバータ装置３にはリモコン４から発信される電波を受信する受信手段が内蔵されており、ＲＦコンバータ装置３は受信した電波から制御信号を分離する。次に、その分離した制御信号を赤外線に重畳して発光部３１から射出する。射出された赤外線はチューナ２に受光されてチューナの制御が行われる。
【００１７】
チューナ２に対してＲＦコンバータ装置３を対峙するように配置できれば、発光部３１から射出される赤外線は何らの問題なくチューナに受光される。ところが、ＲＦコンバータ装置３をチューナ２に対峙して配置できない場合には、発光部３１からの赤外線を確実にチューナ２の受光部に受光させる必要がある。
【００１８】
そこで、図２に示すように、ＲＦコンバータ装置３に揺動アーム３２を設け、その揺動アーム３２の先端に発光部３１を設けた。図示のように、ＲＦコンバータ装置３をチューナ２の上部に載置する場合には、揺動アーム３２を水平になる位置まで揺動させる。すると発光部３１は下方に向くので、ＲＦコンバータ装置３の下方に配置されているチューナ２に対して確実に赤外線を射出させることができる。また、図示しないが、ＲＦコンバータ装置３をチューナ２の隣に配置する場合には、ＲＦコンバータ装置３の側面が設置するように配置し、揺動アーム３２が水平方向に揺動するようにセットすれば、発光部３１をチューナ２の前面に臨ませることができ、発光部３１からの赤外線をチューナ２の前面に射出することができる。
【００１９】
ところで、上記実施の形態では、リモコン４として電波式のものを用いたが、赤外線式のリモコン４を用いてもよい。その場合には、図３に示すように、浴室ＢＲ内に臨むように赤外線の受光部５を設け、その受光部５からの出力信号をＲＦコンバータ装置３に入力させる。ＲＦコンバータ装置３では受光した制御信号をそのまま赤外線に重畳させて発光部３１から射出させればよい。
【００２０】
なお、リモコン４は赤外線式の学習リモコンを用いるが、その他として、例えば市販のチューナ２に付属しているチューナ２の専用リモコンを用いてもよい。ただし、一般に専用のリモコンは防水構造ではないので、透明ビニールなどで形成された防水ケースに専用リモコンを入れて使用すればよい。
【００２１】
また、リモコン４には必ずしも学習機能を持たせる必要はなく、ＲＦコンバータ３に学習機能を持たせておけば、複数のメーカのリモコンをこのリモコン４として使用することができる。
【００２２】
ところで、上記実施の形態では、発光部３１を揺動アーム３２の先端に設けたが、揺動アーム３２の代わりに全方向に曲げることのできるフレキシブルアームを設けて、そのフレキシブルアームの先端に発光部３１を取り付けるようにしてもよい。
【００２３】
なお、本発明は上記した形態に限定されるものではなく、本発明の要旨を逸脱しない範囲内において種々の変更を加えてもかまわない。
【図面の簡単な説明】
【００２４】
【図１】本発明の一実施の形態の構成を示す図
【図２】ＲＦコンバータの設置状態を示す図
【図３】他の実施の形態を示す図
【符号の説明】
【００２５】
１  テレビ装置
２  チューナ（市販の地上波デジタル放送用）
３  ＲＦコンバータ装置
３１  発光部
４  リモコン
ＢＲ  浴室
【図１】
2007174356.tif 000003
【図２】
2007174356.tif 000004
【図３】
2007174356.tif 000005